(57)【要約】【課題】第１モードの状況で発生する、第２モードで実行されるイベントの契機を活用可能な技術を提供する。【解決手段】表示装置の制御方法は、動作モードとして、第１モードと、前記第１モードとは異なる第２モードとを有する表示装置の制御方法であって、前記第１モードにおいて前記第２モードで実行されるイベントの契機を検出し、前記動作モードを前記第１モードから前記第２モードに切り替える切替操作に基づいて、前記動作モードを前記第１モードから前記第２モードに切り替え、前記第１モードから前記第２モードへの前記動作モードの切り替わりの後に前記イベントを実行する。【選択図】図４
2020095344.tif 000002
【特許請求の範囲】
【請求項１】
動作モードとして、第１モードと、前記第１モードとは異なる第２モードとを有する表示装置の制御方法であって、
前記第１モードにおいて前記第２モードで実行されるイベントの契機を検出し、
前記動作モードを前記第１モードから前記第２モードに切り替える切替操作に基づいて、前記動作モードを前記第１モードから前記第２モードに切り替え、
前記第１モードから前記第２モードへの前記動作モードの切り替わりの後に前記イベントを実行する、
表示装置の制御方法。
【請求項２】
前記第１モードでは、予め指定された画像を表示面に表示する、
請求項１に記載の表示装置の制御方法。
【請求項３】
前記第２モードでは、ユーザーにより指定された画像情報に基づく画像を前記表示面に表示する、
請求項２に記載の表示装置の制御方法。
【請求項４】
前記イベントの契機は、第１受取部への第１画像情報の入力であり、
前記イベントは、前記第１画像情報に基づく画像を前記表示面に表示することを含む、
請求項２または３に記載の表示装置の制御方法。
【請求項５】
前記イベントの契機は、複数の受取部からの第２受取部の選択であり、
前記イベントは、前記第２受取部が受け取る第２画像情報に基づく画像を前記表示面に表示することを含む、
請求項２または３に記載の表示装置の制御方法。
【請求項６】
前記第１モードにおいて前記契機を検出する場合、前記切替操作に応じた前記第１モードから前記第２モードへの前記動作モードの切り替わりの後に前記イベントの実行の要否についての問合せを前記表示面に表示し、前記問合せに対する回答が前記イベントの実行は必要であることを示すときに前記イベントを実行すること
を含む請求項２から５のいずれか１項に記載の表示装置の制御方法。
【請求項７】
前記第１モードにおいて前記契機を検出することなく前記切替操作を検出する場合、前記動作モードを前記第１モードから前記第２モードに切り替え、第３受取部が第３画像情報を受け取っているか否かを判断することと、
前記第３受取部が前記第３画像情報を受け取っている場合、前記第３画像情報に基づく画像を前記表示面に表示することと、
を含む請求項２から６のいずれか１項に記載の表示装置の制御方法。
【請求項８】
前記第１モードにおいて前記契機を検出することなく前記切替操作を検出する場合、前記動作モードを前記第１モードから前記第２モードに切り替え、前記第１受取部と電気的に接続されている外部機器に対して電源オンする指示を通知すること
を含む請求項４に記載の表示装置の制御方法。
【請求項９】
前記イベントの契機は、予め設定されているタイミングで発生する、
請求項１から３のいずれか１項に記載の表示装置の制御方法。
【請求項１０】
動作モードとして、第１モードと、前記第１モードとは異なる第２モードとを管理する管理部と、
前記動作モードを前記第１モードから前記第２モードに切り替える切替操作を検出する第１検出部と、
前記第２モードで実行されるイベントの契機を検出する第２検出部と、
前記イベントを実行する実行部と、
前記管理部と前記実行部とを制御する制御部と、を含み、
前記制御部は、
前記第１モードにおける前記第１検出部による前記切替操作の検出に基づいて、前記管理部に、前記動作モードを前記第１モードから前記第２モードに切り替えさせ、
前記第１モードにおける前記第２検出部による前記契機の検出に基づいて、前記実行部に、前記切替操作に応じた前記第１モードから前記第２モードへの前記動作モードの切り替わりの後に前記イベントを実行させる、
表示装置。
【請求項１１】
前記実行部は、表示部であり、
前記表示部は、前記第１モードにおいては予め指定された画像を表示面に表示する、
請求項１０に記載の表示装置。
【請求項１２】
前記表示部は、前記第２モードにおいてはユーザーにより指定された画像情報に基づく画像を前記表示面に表示する、
請求項１１に記載の表示装置。
【請求項１３】
第１画像情報を受け取る第１受取部を含み、
前記イベントの契機は、前記第１受取部への前記第１画像情報の入力であり、
前記イベントは、前記第１画像情報に基づく画像を前記表示面に表示することを含む、
請求項１１または１２に記載の表示装置。
【請求項１４】
第２画像情報を受け取る第２受取部が属する複数の受取部を含み、
前記イベントの契機は、前記複数の受取部からの前記第２受取部の選択であり、
前記イベントは、前記第２画像情報に基づく画像を前記表示面に表示することを含む、
請求項１１または１２に記載の表示装置。
【請求項１５】
前記制御部は、
前記第１モードにおいて前記第２検出部が前記契機を検出する場合、前記表示部に、前記切替操作に応じた前記第１モードから前記第２モードへの前記動作モードの切り替わりの後に前記イベントの実行の要否についての問合せを前記表示面に表示させ、
前記問合せに対する回答が前記イベントの実行は必要であることを示す場合、前記表示部に、前記イベントを実行させる
請求項１１から１４のいずれか１項に記載の表示装置。
【請求項１６】
第３画像情報を受け取る第３受取部を含み、
前記制御部は、
前記第１モードにおいて前記第２検出部が前記契機を検出することなく前記第１検出部が前記切替操作を検出する場合、前記管理部に前記動作モードを前記第１モードから前記第２モードに切り替えさせ、前記第３受取部が前記第３画像情報を受け取っているか否かを判断し、
前記第３受取部が前記第３画像情報を受け取っている場合、前記表示部に、前記第３画像情報に基づく画像を前記表示面に表示させる、
請求項１１から１５のいずれか１項に記載の表示装置。
【請求項１７】
前記制御部は、
前記第１モードにおいて前記第２検出部が前記契機を検出することなく前記第１検出部が前記切替操作を検出する場合、前記管理部に前記動作モードを前記第１モードから前記第２モードに切り替えさせ、前記第１受取部と電気的に接続されている外部機器に対して電源オンする指示を通知する、
請求項１３に記載の表示装置。
【請求項１８】
前記イベントの契機は、予め設定されているタイミングで発生する、
請求項１０から１２のいずれか１項に記載の表示装置。
【発明の詳細な説明】
【技術分野】
【０００１】
本発明は、表示装置の制御方法および表示装置に関する。
【背景技術】
【０００２】
特許文献１には、通常モードと、所定画像を表示するデモ表示モードと、を有する電子機器が記載されている。この電子機器は、デモ表示モードにおいて印刷開始操作がなされると、デモ表示モードを維持したまま、所定画像の表示を印刷動作用画像の表示に変更し、印刷の終了に伴い、印刷動作用画像の表示を所定画像の表示に戻す。
【０００３】
電子機器が表示する所定画像の一例としては、スクリーンセーバーで使用される画像、例えば、画面全体を黒色にするブラックアウト画像、または、アニメーション画像が挙げられる。
特許文献２には、このようなスクリーンセーバーをロックできる情報処理装置が記載されている。この情報処理装置は、スクリーンセーバーがロックされているロック状態においてロック解除用の入力を検出すると、ロック状態を解除する。一方、この情報処理装置は、ロック状態において、ロック解除用の入力とは異なる入力、例えば、ロック解除状態で実行されるイベントの契機、一例を挙げると、ファイルを開くための入力デバイスの操作があっても、当該イベントの契機を無視する。
【先行技術文献】
【特許文献】
【０００４】
【特許文献１】特開２００７−１８９３３０号公報
【特許文献２】特開２００２−８２７３４号公報
【発明の概要】
【発明が解決しようとする課題】
【０００５】
特許文献１に記載の電子機器では、デモ表示モードが維持されても、デモ表示モードにおける所定画像の表示が中断してしまう。
これに対して、特許文献２に記載の情報処理装置は、スクリーンセーバーがロックされれば、スクリーンセーバーの表示は維持される。
しかしながら、特許文献２に記載の情報処理装置は、ロック状態のような特定モード下で発生するイベントの契機を無視するため、特定モードが解除されても、当該イベントは実行されないという問題がある。
【課題を解決するための手段】
【０００６】
本発明に係る表示装置の制御方法の一態様は、動作モードとして、第１モードと、前記第１モードとは異なる第２モードとを有する表示装置の制御方法であって、前記第１モードにおいて前記第２モードで実行されるイベントの契機を検出し、前記動作モードを前記第１モードから前記第２モードに切り替える切替操作に基づいて、前記動作モードを前記第１モードから前記第２モードに切り替え、前記第１モードから前記第２モードへの前記動作モードの切り替わりの後に前記イベントを実行する。
【０００７】
本発明に係る表示装置の一態様は、動作モードとして、第１モードと、前記第１モードとは異なる第２モードとを管理する管理部と、前記動作モードを前記第１モードから前記第２モードに切り替える切替操作を検出する第１検出部と、前記第２モードで実行されるイベントの契機を検出する第２検出部と、前記イベントを実行する実行部と、前記管理部と前記実行部とを制御する制御部と、を含み、前記制御部は、前記第１モードにおける前記第１検出部による前記切替操作の検出に基づいて、前記管理部に、前記動作モードを前記第１モードから前記第２モードに切り替えさせ、前記第１モードにおける前記第２検出部による前記契機の検出に基づいて、前記実行部に、前記切替操作に応じた前記第１モードから前記第２モードへの前記動作モードの切り替わりの後に前記イベントを実行させる。
【図面の簡単な説明】
【０００８】
【図１】第１実施形態に係るプロジェクター１を示す図である。
【図２】プロジェクター１の一例を示す図である。
【図３】投射部１５３の一例を示す図である。
【図４】プロジェクター１の動作を説明するためのフローチャートである。
【発明を実施するための形態】
【０００９】
＜Ａ：第１実施形態＞
＜Ａ１：プロジェクター１の概要＞
図１は、第１実施形態に係るプロジェクター１を示す図である。プロジェクター１は、画像を投射面１０に投射することによって当該画像を表示する。投射面１０は、表示面の一例である。投射面１０は、例えば、スクリーン、壁、天井または立体物である。プロジェクター１は、表示装置の一例である。
【００１０】
プロジェクター１は、第１ＰＣ（Personal Computer）２と第１配線ケーブル４を介して電気的に接続する。プロジェクター１は、第１ＰＣ２から画像情報を受け取る。以下、第１ＰＣ２から受け取られる画像情報を「第１入力画像情報」と称する。第１入力画像情報は、例えばユーザーによって指定される。
【００１１】
プロジェクター１は、第２ＰＣ３と第２配線ケーブル５を介して電気的に接続する。プロジェクター１は、第２ＰＣ３から画像情報を受け取る。以下、第２ＰＣ３から受け取られる画像情報を「第２入力画像情報」と称する。第２入力画像情報は、例えばユーザーによって指定される。
【００１２】
第１ＰＣ２および第２ＰＣ３の各々は、画像供給装置の一例である。画像供給装置は、一般的にソース機器とも称され得る。画像供給装置はＰＣに限らない。例えば、画像供給装置として、ＤＶＤ（Digital Versatile Disc）プレーヤーが用いられてもよい。画像供給装置の数は２に限らず、１以上であればよい。また、複数の画像供給装置が存在する場合、各画像供給装置は同種の装置でもよいし、相互に異なる種類の装置でもよい。
【００１３】
第１配線ケーブル４および第２配線ケーブル５の各々は、ＨＤＭＩ（High Definition Multimedia Interface）ケーブルである。ＨＤＭＩは登録商標である。第１配線ケーブル４および第２配線ケーブル５の各々は、ＨＤＭＩケーブルに限らず、例えば、ＵＳＢ（Universal Serial Bus）ケーブル、またはＶＧＡ（Video Graphics Array）ケーブルでもよい。ＵＳＢは登録商標である。第１配線ケーブル４と第２配線ケーブル５とは、同種の配線ケーブルでもよいし、互いに異なる種類の配線ケーブルでもよい。
【００１４】
プロジェクター１は、動作モードとして、第１モードと、第１モードとは異なる第２モードと、を有する。
【００１５】
第１モードでは、プロジェクター１は、第１モード用画像情報に基づく第１モード用画像を投射面１０に投射する。なお、第１モードは、第１モード用画像を投射面１０に表示するモードに限らない。例えば、第１モードは、投射面１０への画像の表示を停止するモードでもよい。
【００１６】
第１モード用画像は、予め指定された画像の一例である。第１モード用画像は、全面黒色のブラックアウト画像であるスクリーンセーバー用の画像である。なお、第１モード用画像は、スクリーンセーバー用の画像に限らず、例えば、広告を表す画像でもよいし、投射面１０が立体物、例えば、立体的な商品である場合には当該立体物を装飾する画像でもよい。
【００１７】
第１モード用画像情報は、プロジェクター１に記憶されている。第１モード用画像情報は、プロジェクター１と電気的に接続される記録媒体、例えばＵＳＢメモリーに記憶されてもよい。
【００１８】
第２モードでは、プロジェクター１は、第１ＰＣ２から受け取る第１入力画像情報に基づく画像、または、第２ＰＣ３から受け取る第２入力画像情報に基づく画像を、投射面１０に投射する。
【００１９】
＜Ａ２：プロジェクター１の一例＞
図２は、プロジェクター１の一例を示す図である。プロジェクター１は、第１入力部１１、第２入力部１２、操作検出部１３、契機検出部１４と、表示部１５と、記憶部１６と、処理部１７と、を含む。
【００２０】
第１入力部１１は、第１配線ケーブル４と電気的に接続する。第１入力部１１は、第１配線ケーブル４を介して第１ＰＣ２から第１入力画像情報を受け取る。第１入力部１１は、第１入力画像情報の入力の有無を検出する。第１入力部１１は、第１入力画像情報の入力を検出すると、第１入力画像情報の入力を示す第１入力情報を、契機検出部１４に出力する。なお、第１入力部１１は、第１配線ケーブル４との電気的な接続を、第１入力画像情報の入力とみなして検出してもよい。
【００２１】
第２入力部１２は、第２配線ケーブル５と電気的に接続する。第２入力部１２は、第２配線ケーブル５を介して第２ＰＣ３から第２入力画像情報を受け取る。第２入力部１２は、第２入力画像情報の入力の有無を検出する。第２入力部１２は、第２入力画像情報の入力を検出すると、第２入力画像情報の入力を示す第２入力情報を、契機検出部１４に出力する。なお、第２入力部１２は、第２配線ケーブル５との電気的な接続を、第２入力画像情報の入力とみなして検出してもよい。
【００２２】
第１入力部１１は、第１受取部、第２受取部および第３受取部の各々の一例である。第２入力部１２は、第１受取部、第２受取部および第３受取部の各々の他の例である。第１入力部１１と第２入力部１２は、複数の受取部の一例である。第１入力画像情報は、第１画像情報、第２画像情報および第３画像情報の各々の一例である。第２入力画像情報は、第１画像情報、第２画像情報および第３画像情報の各々の他の例である。なお、プロジェクター１が有する入力部の数は２に限らず、例えば１でもよいし３以上でもよい。
【００２３】
操作検出部１３は、動作モードを設定するための操作ボタンである。操作検出部１３は、物理的な操作ボタンでもよいし、タッチパネルに表示される操作ボタンでもよい。
操作検出部１３は、動作モードを第１モードから第２モードに切り替える第１操作と、動作モードを第２モードから第１モードの切り替える第２操作と、を検出する。第１操作は、切替操作の一例である。操作検出部１３は、第１検出部の一例である。
【００２４】
契機検出部１４は、第２モードで実行されるイベントの契機を検出する。契機検出部１４は、第２検出部の一例である。以下、第２モードで実行されるイベントを、単に「イベント」と称する。
イベントは、第１入力部１１に入力される第１入力画像情報に応じた画像を投射面１０に投射する第１イベント、および、第２入力部１２に入力される第２入力画像情報に応じた画像を投射面１０に投射する第２イベントの各々である。
第１イベントの契機は、契機検出部１４による第１入力情報の受信である。第２イベントの契機は、契機検出部１４による第２入力情報の受信である。
第２モードで実行されるイベントは、上述のイベントに限らず適宜変更可能である。また、イベントの契機も、上述の契機に限らず適宜変更可能である。
【００２５】
表示部１５は、画像を投射面１０に投射することによって当該画像を投射面１０に表示する。表示部１５は、実行部の一例である。表示部１５は、切替部１５１と、画像処理部１５２と、投射部１５３と、を含む。
【００２６】
切替部１５１は、動作モードに応じて、画像処理部１５２に出力する画像情報を切り替える。具体的には、切替部１５１は、第１モードの場合には第１モード用画像情報を画像処理部１５２に出力し、第２モードの場合には第１入力画像情報および第２入力画像情報のいずれかを画像処理部１５２に出力する。
【００２７】
画像処理部１５２は、例えば、ＣＰＵ（Central Processing Unit）等のコンピューターである。画像処理部１５２は、１または複数の処理装置で構成されてもよい。画像処理部１５２は、第１モード用画像情報、第１入力画像情報および第２入力画像情報等の画像情報に対して画像処理を施すことによって画像信号を生成する。
画像処理部１５２が実行する画像処理は、例えば、解像度変換処理またはフレームレート変換処理を包含する。解像度変換処理では、画像処理部１５２は、画像情報の解像度を、処理部１７により指定される解像度、例えば後述する液晶ライトバルブ１５３３の解像度に変換する。フレームレート変換処理では、画像処理部１５２は、画像情報のフレームレートを、処理部１７が指定するフレームレートに変換する。画像処理部１５２は、解像度変換処理とフレームレート変換処理との両方を実行してもよいし、他の画像処理、例えば、いわゆるガンマ補正処理を実行してもよい。
【００２８】
投射部１５３は、画像処理部１５２が生成する画像信号に基づく画像を投射面１０に投射することによって当該画像を投射面１０に表示する。
【００２９】
記憶部１６は、コンピューター読み取り可能な記録媒体である。記憶部１６は、例えば、フラッシュメモリーを含む。記憶部１６は、種々の情報と、処理部１７が実行するプログラムとを記憶する。
【００３０】
処理部１７は、例えば、ＣＰＵ等のコンピューターである。処理部１７は、１または複数のプロセッサーで構成されてもよい。処理部１７は、記憶部１６に記憶されているプログラムを読み取り実行することによって、モード管理部１７１と、表示制御部１７２と、動作制御部１７３とを実現する。
【００３１】
モード管理部１７１は、動作モードとして、第１モードと第２モードとを管理する。モード管理部１７１は、管理部の一例である。
【００３２】
表示制御部１７２は、モード管理部１７１が管理する動作モードに応じて、表示部１５を制御する。
【００３３】
動作制御部１７３は、モード管理部１７１と表示部１５とを制御する。動作制御部１７３は、制御部の一例である。
動作制御部１７３は、第１モードの状況における操作検出部１３による第１操作の検出に基づいて、モード管理部１７１に、動作モードを第１モードから第２モードに切り替えさせる。本実施形態では、動作制御部１７３は、第１モードの状況において操作検出部１３が第１操作を検出する場合、モード管理部１７１に、動作モードを第１モードから第２モードに切り替えさせる。
動作制御部１７３は、第２モードの状況における操作検出部１３による第２操作の検出に基づいて、モード管理部１７１に、動作モードを第２モードから第１モードに切り替えさせる。本実施形態では、動作制御部１７３は、第２モードの状況において操作検出部１３が第２操作を検出する場合、モード管理部１７１に、動作モードを第２モードから第１モードに切り替えさせる。
動作制御部１７３は、第２モードの状況における契機検出部１４によるイベントの契機の検出に基づいて、当該イベントを表示部１５に実行させる。本実施形態では、動作制御部１７３は、第２モードの状況において契機検出部１４がイベントの契機を検出する場合、当該イベントを表示部１５に実行させる。
動作制御部１７３は、第１モードの状況における契機検出部１４によるイベントの契機の検出に基づいて、第１操作に応じた第１モードから第２モードへの動作モードの切り替えの後に当該イベントを表示部１５に実行させる。本実施形態では、動作制御部１７３は、第１モードの状況において契機検出部１４がイベントの契機を検出する場合、第１操作に応じた第１モードから第２モードへの動作モードの切り替えの後に当該イベントを表示部１５に実行させる。
【００３４】
＜Ａ３：投射部１５３の構成例＞
図３は、投射部１５３の一例を示す図である。投射部１５３は、ライトバルブ駆動部１５３１と、光源１５３２と、赤色用液晶ライトバルブ１５３３Ｒと、緑色用液晶ライトバルブ１５３３Ｇと、青色用液晶ライトバルブ１５３３Ｂと、投射光学系１５３４と、を含む。以下、赤色用液晶ライトバルブ１５３３Ｒと、緑色用液晶ライトバルブ１５３３Ｇと、青色用液晶ライトバルブ１５３３Ｂとを相互に区別する必要がない場合、これらを「液晶ライトバルブ１５３３」と称する。
【００３５】
ライトバルブ駆動部１５３１は、画像処理部１５２から入力される画像信号に基づいて液晶ライトバルブ１５３３を駆動する。
【００３６】
光源１５３２は、キセノンランプ、超高圧水銀ランプ、ＬＥＤ（Light Emitting Diode）、またはレーザー光源等である。光源１５３２から射出される光は、不図示のインテグレーター光学系によって輝度分布のばらつきが低減され、その後、不図示の色分離光学系によって光の３原色である赤色、緑色、青色の色光成分に分離される。赤色の色光成分は赤色用液晶ライトバルブ１５３３Ｒに入射する。緑色の色光成分は緑色用液晶ライトバルブ１５３３Ｇに入射する。青色の色光成分は青色用液晶ライトバルブ１５３３Ｂに入射する。
【００３７】
液晶ライトバルブ１５３３は、一対の透明基板間に液晶が存在する液晶パネル等によって構成される。液晶ライトバルブ１５３３は、マトリクス状に位置する複数の画素１５３３ｐを含む矩形の画素領域１５３３ａを有する。液晶ライトバルブ１５３３では、液晶に対して画素１５３３ｐごとに駆動電圧が印加される。ライトバルブ駆動部１５３１が、画像信号に基づく駆動電圧を各画素１５３３ｐに印加すると、各画素１５３３ｐは、駆動電圧に基づく光透過率に設定される。このため、光源１５３２から射出される光は、画素領域１５３３ａを通ることで変調され、画像信号に基づく画像が色光ごとに形成される。
【００３８】
各色の画像は、図示しない色合成光学系によって画素１５３３ｐごとに合成され、カラー画像が生成される。当該カラー画像は、投射光学系１５３４によって投射面１０に投射される。
【００３９】
＜Ａ４：動作の説明＞
図４は、プロジェクター１の動作を説明するためのフローチャートである。以下では、説明の簡略化のため、動作モードが第１モードである状況での動作を説明する。
【００４０】
動作モードが第１モードである場合、ステップＳ１１において表示制御部１７２は、第１モードで動作する。
【００４１】
例えばステップＳ１１では、表示制御部１７２は、記憶部１６に第１モード用画像情報を切替部１５１に対して出力させる。続いて、表示制御部１７２は、切替部１５１に、第１モード用画像情報を画像処理部１５２に出力させる。続いて、表示制御部１７２は、画像処理部１５２に、第１モード用画像情報に対して画像処理を実行させる。画像処理部１５２は、第１モード用画像情報に画像処理を施すことによって、第１モード用画像情報に基づく第１モード用画像信号を生成する。続いて、表示制御部１７２は、投射部１５３に、第１モード用画像信号に応じた第１モード用画像、すなわち、スクリーンセーバー用の画像を投射面１０に投射させる。
【００４２】
続いて、ステップＳ１２において契機検出部１４が、イベントの契機を検出すると、ステップＳ１３において動作制御部１７３は、イベントの契機を示す契機情報を記憶部１６に記憶する。
【００４３】
例えば、動作モードが第１モードである状況において第１入力部１１に第１配線ケーブル４が電気的に接続されて第１入力部１１が第１入力画像情報を受け取ると、第１入力部１１は、第１入力情報を契機検出部１４に送信する。契機検出部１４は、第１入力情報を受信することによって第１イベントの契機を検出する。契機検出部１４は、第１イベントの契機を検出すると、第１入力情報を動作制御部１７３に出力する。動作制御部１７３は、第１入力情報を受信すると、第１入力情報を契機情報として記憶部１６に記憶する。
【００４４】
また、動作モードが第１モードである状況において第２入力部１２に第２配線ケーブル５が電気的に接続されて第２入力部１２が第２入力画像情報を受け取ると、第２入力部１２は、第２入力情報を契機検出部１４に送信する。契機検出部１４は、第２入力情報を受信することによって第２イベントの契機を検出する。契機検出部１４は、第２イベントの契機を検出すると、第２入力情報を動作制御部１７３に出力する。動作制御部１７３は、第２入力情報を受信すると、第２入力情報を契機情報として記憶部１６に記憶する。
【００４５】
動作制御部１７３は、記憶部１６に契機情報が既に記憶されている状況で、新たに第１入力情報または第２入力情報を受け取る場合、まず、既に記憶されている契機情報を削除し、その後、新たに受け取った第１入力情報または第２入力情報を、契機情報として記憶部１６に記憶する。
【００４６】
ステップＳ１２において契機検出部１４がイベントの契機を検出しない場合、ステップＳ１３はスキップされる。
【００４７】
続いて、ステップＳ１４において操作検出部１３が、第１操作、具体的には切替操作を検出しないと、処理がステップＳ１１に戻る。
一方、ステップＳ１４において操作検出部１３が切替操作を検出すると、ステップＳ１５において動作制御部１７３は、モード管理部１７１に、動作モードを第１モードから第２モードに切り替えさせる。動作モードが第１モードから第２モードに切り替わると、表示制御部１７２は、切替部１５１に、第１モード用画像情報の出力を停止させる。
【００４８】
続いて、ステップＳ１６において動作制御部１７３は、記憶部１６に契機情報が記憶されているか否かを判断する。
記憶部１６に契機情報が記憶されている場合、ステップＳ１７において動作制御部１７３は、表示部１５に、当該契機情報に応じたイベントを実行させる。
【００４９】
例えばステップＳ１７では、まず、動作制御部１７３は、記憶部１６に記憶されている契機情報を読み取る。契機情報が第１入力情報である場合、動作制御部１７３は、切替部１５１に、第１入力画像情報を画像処理部１５２に対して出力させる。契機情報が第２入力情報である場合、動作制御部１７３は、切替部１５１に、第２入力画像情報を画像処理部１５２に対して出力させる。続いて、動作制御部１７３は、記憶部１６に記憶されている契機情報を削除する。
【００５０】
画像処理部１５２は、切替部１５１から第１入力画像情報を受け取る場合には、第１入力画像情報に対して画像処理を施して第１入力画像信号を生成する。一方、画像処理部１５２は、切替部１５１から第２入力画像情報を受け取る場合には、第２入力画像情報に対して画像処理を施して第２入力画像信号を生成する。
【００５１】
投射部１５３は、画像処理部１５２が第１入力画像信号を生成する場合には、第１入力画像信号に基づく画像を投射面１０に投射することによって当該画像を投射面１０に表示する。
一方、画像処理部１５２が第１入力画像信号を生成する場合には、投射部１５３は、第２入力画像信号に基づく画像を投射面１０に投射することによって当該画像を投射面１０に表示する。
【００５２】
一方、ステップＳ１６において記憶部１６に契機情報が記憶されていない場合、ステップＳ１７がスキップされる。
【００５３】
本実施形態に係るプロジェクター１およびプロジェクター１の制御方法によれば、動作モードが第１モードである状況において契機検出部１４がイベントの契機を検出する場合、動作制御部１７３は、表示部１５に、切替操作に応じた第１モードから第２モードへの動作モードの切り替わりの後にイベントを実行させる。
このため、イベントの契機の検出に応じて第１モードが第２モードに切り替わることを抑止しつつ、第１モードにおいて検出されたイベントの契機に応じてイベントを実行することが可能になる。
よって、切替操作とは異なる操作によって第１モードが終了することを抑止でき、また、第２モードに切り替わった後にイベントを実行させるために、イベントの契機を再度発生させる手間を解消できる。
【００５４】
表示部１５は、第１モードにおいては第１モード用画像を投射面１０に表示する。このため、第１モード用画像の表示が、切替操作とは異なる操作によって終了してしまうことを抑制できる。よって、第１モード用画像の表示が、切替操作とは異なる操作によって終了してしまう構成に比べて、第１モード用画像の表示が観客の目に触れる機会を増やすことができる。したがって、例えば、第１モード用画像として、広告を表す画像、または、立体物を装飾する画像が用いられる場合、これらの画像を使用者に認識させ易くなる。
【００５５】
例えば、イベントの契機が、第１入力部１１への第１入力画像情報の入力であり、イベントが、第１入力画像情報に基づく画像の投射面１０への表示である場合、第１モードの状態で第１入力部１１に第１入力画像情報が入力されても第１モードは維持され、その後に動作モードが第１モードから第２モードに切り替わると、第１入力画像情報に基づく画像が自動的に投射面１０に表示される。このため、第１モードにおける第１入力部１１への第１入力画像情報の入力というイベントの契機を、無視せずに有効に用いることができる。
【００５６】
＜Ｂ：変形例＞
第１実施形態において、例えば以下に例示する構成が採用されてもよい。
【００５７】
＜Ｂ１：変形例１＞
イベントの契機は、第１入力部１１と第２入力部１２の中から、表示部１５が使用する画像情報を入力する入力部を選択する選択操作の入力でもよい。
一例を挙げると、契機検出部１４が、当該選択操作の入力を検出し、選択操作の入力を検出すると、選択操作により選択された入力部を示す選択操作入力情報を動作制御部１７３に出力する。
動作制御部１７３は、図４に示すステップＳ１３において選択操作入力情報を契機情報として記憶部１６に記憶する。
また、動作制御部１７３は、図４に示すステップＳ１７において、選択操作入力情報が記憶部１６に記憶されている場合、選択操作入力情報の示す入力部が入力する画像情報を切替部１５１に出力させ、その後、記憶部１６から選択操作入力情報を削除する。
変形例１によれば、第１モードにおける選択操作の入力というイベントの契機を無視せずに有効に用いることができる。
【００５８】
＜Ｂ２：変形例２＞
動作制御部１７３は、第１モードにおいて契機検出部１４がイベントの契機を検出する場合、表示部１５に、切替操作に応じた第１モードから第２モードへの動作モードの切り替わりの後にイベントの実行の要否についての問合せを投射面１０に対して表示させてもよい。
問合せの一例としては「第１モードで契機が検出されたイベントを実行してもよいですか」が挙げられる。なお、問合せは、上述の問合せに限らず適宜変更可能である。
この場合、動作制御部１７３は、問合せに対する回答を受け付け、当該回答がイベントの実行は必要であることを示す場合、表示部１５に、当該イベントを実行させる。
例えば、操作検出部１３が、問合せに対する回答を受け取る機能も有する場合、動作制御部１７３は、操作検出部１３が受け取る回答に応じて、表示部１５によるイベントの実行を制御する。具体的には、動作制御部１７３は、回答がイベントの実行について肯定を示す場合には表示部１５にイベントを実行させ、回答がイベントの実行について否定を示す場合には表示部１５にイベントを実行させない。
変形例２によれば、イベントの実行の要否について問合せを行い、その回答がイベントの実行に肯定的である場合に、イベントが実行される。このため、不要なイベントの実行を回避することが可能になる。
【００５９】
＜Ｂ３：変形例３＞
動作制御部１７３は、第１モードにおいて契機検出部１４がイベントの契機を検出することなく操作検出部１３が切替操作を検出する場合、モード管理部１７１に動作モードを第１モードから第２モードに切り替えさせ、かつ、第１入力部１１が第１入力画像情報を受け取っているか否かを判断し、第１入力部１１が第１入力画像情報を受け取っている場合、表示部１５に、第１入力画像情報に基づく画像を投射面１０に表示させてもよい。
変形例３によれば、第１モードにおいてイベントの契機が検出されることなく動作モードが第１モードから第２モードに切り替わった場合に、自動的に、第１入力画像情報に基づく画像を投射面１０に表示できる。なお、変形例３において、第１入力部１１の代わりに第２入力部１２が用いられてもよい。
【００６０】
＜Ｂ４：変形例４＞
動作制御部１７３は、第１モードにおいて契機検出部１４がイベントの契機を検出することなく操作検出部１３が切替操作を検出する場合、モード管理部１７１に動作モードを第１モードから第２モードに切り替えさせ、かつ、第１入力部１１と電気的に接続されている第１ＰＣ２に対して電源オンする指示を通知してもよい。第１ＰＣ２は、外部機器の一例である。
例えば、第１配線ケーブル４がＨＤＭＩケーブルである場合、動作制御部１７３は、ＨＤＭＩリンク機能を用いて、第１ＰＣ２に対して電源オンする指示を通知する。
変形例４によれば、第１モードにおいてイベントの契機が検出されることなく動作モードが第１モードから第２モードに切り替わった場合に、自動的に、第１入力部１１と電気的に接続されている第１ＰＣ２の電源をオンにできる。
【００６１】
＜Ｂ５：変形例５＞
イベントの契機は、予め設定されているタイミングで発生してもよい。
例えば、第２モードにおいて第１入力画像情報に基づく画像の表示をＰＭ４：００に実行するスケジュールがプロジェクター１に設定されており、このスケジュールにしたがって処理部１７がＰＭ４：００にスケジュールの実行開始指示を生成する場合、契機検出部１４は、ＰＭ４：００に生成されるスケジュールの実行開始指示をイベントの契機として検出する。
変形例５によれば、動作モードが第１モードである状況で開始タイミングが到来したイベントを、動作モードの第１モードから第２モードへの切替に伴い自動的に実行できる。
【００６２】
＜Ｂ６：変形例６＞
光変調装置の一例として液晶ライトバルブ１５３３が用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系および色合成光学系に相当する部材は不要である。また、液晶パネルおよびＤＭＤ以外にも、光源１５３２が発した光を変調可能な構成は、光変調装置として採用できる。
【００６３】
＜Ｂ７：変形例７＞
表示装置は、プロジェクター１に限らず、液晶ディスプレイ等の直視型のディスプレイもよい。
【００６４】
＜Ｂ８：変形例８＞
処理部１７がプログラムを実行することによって実現される要素の全部または一部は、例えばＦＰＧＡ（field programmable gate array）またはＡＳＩＣ（Application Specific IC）等の電子回路によりハードウェアで実現されてもよい。また、画像処理部１５２は、例えばＦＰＧＡまたはＡＳＩＣ等の電子回路により実現されてもよい。
【符号の説明】
【００６５】
１…プロジェクター、２…第１ＰＣ、３…第２ＰＣ、４…第１配線ケーブル、５…第２配線ケーブル、１０…投射面、１１…第１入力部、１２…第２入力部、１３…操作検出部、１４…契機検出部、１５…表示部、１６…記憶部、１７…処理部、１７１…モード管理部、１７２…表示制御部、１７３…動作制御部。
【図１】
2020095344.tif 000003
【図２】
2020095344.tif 000004
【図３】
2020095344.tif 000005
【図４】
2020095344.tif 000006